(57)【特許請求の範囲】
【請求項１】
内部に、双方向分岐器と第１のフィルタとを有し、外部に、前記双方向分岐器の入力側に接続された入力端子及び前記双方向分岐器の出力側に接続された出力端子を有し、さらに正面に、分岐端子と、この分岐端子を前記双方向分岐器の分岐側に接続するかまたは前記第１のフィルタを介して接続するかを切り換える切換スイッチとを、有する概略直方体状の本体と、
この本体の正面に着脱可能に設けられ、装着時に前記切換スイッチを覆うカバーとを、具備し、
前記本体の長方形状である正面の周縁に沿って矩形の枠状体が設けられ、この枠状体から前記本体の長さ方向の両側にかつ前記本体よりも外方に突部が突出し、これら突部から前記本体に向かって伸びた把持部が前記本体を挟んで前記枠状体を前記本体に取り付け、着脱自在な化粧板によって被われた埋め込み枠への取付部が前記突部の先端部に設けられ、
前記カバーは、前記枠状体の上面に設置され、前記枠状体とほぼ同一の平面形状を有し、前記分岐端子のみが挿通可能な円孔を有し、
前記枠状体に係合部が形成され、前記カバーが前記枠状体上に載置された状態において、前記係合部に着脱可能に係止する係止部が前記カバーに形成された
直列ユニット。
【請求項２】
請求項１記載の直列ユニットにおいて、前記係合部は、１対に形成され、前記分岐端子を間に挟んで対向するようにほぼ一直線上に前記１対の係合部が配置され、かつ前記１対の係合部は、前記直線方向に貫通した係合孔であり、前記係止部は、前記両係合孔よりもそれぞれ内側にある前記カバーにおける２つの側壁にそれぞれ形成され、前記係合孔に侵入可能な突部を有する直列ユニット。
【請求項３】
請求項１記載の直列ユニットにおいて、前記切換スイッチは、前記本体の正面よりも奥に設けられている直列ユニット。
【請求項４】
請求項１記載の直列ユニットにおいて、
上り信号の低域側を遮断する周波数特性を有する第２のフィルタを設け、第１のフィルタは、第２のフィルタとの合成周波数特性が前記上り信号の帯域全域を遮断する周波数特性であり、
前記切換スイッチは、前記分岐側を前記分岐端子に接続する際に前記分岐側と前記分岐端子との間に前記第２のフィルタを介在させ、前記分岐側を第１のフィルタを介して前記分岐端子に接続する際に、第１及び第２のフィルタが縦続接続された状態とする直列ユニット。
【発明の詳細な説明】
【０００１】
【発明の属する技術分野】
本発明は、直列ユニットに関し、特に、双方向及び片方向いずれ用としても使用することができるものに関する。
【０００２】
【従来の技術】
直列ユニットは、共同受信設備において、各家庭等に共同受信信号を分岐させる場合に使用される。近年、双方向共同受信設備が増えているので、直列ユニットには、その使用帯域が１０ＭＨｚ乃至２１５０ＭＨｚとかなり広帯域の双方向用のものが多くなっている。このような広帯域の直列ユニットでは、例えば図１０に示す直列ユニット２ａのように、ケーブルモデム４に接続され、双方向用として使用されるものや、直列ユニット２ｂのように、テレビジョン受像機６に接続され、下り信号を受信するのみに使用されるものもある。このような下り信号のみを受信する直列ユニットまで、広帯域のものを使用していると流合雑音が増加する。
【０００３】
そこで、図１１に示すような直列ユニット７がある。この直列ユニットは、内蔵する分岐器８の分岐側に上り信号を減衰させるためのハイパスフィルタ１０と切換スイッチ１２とを設け、直列ユニット２ａのように使用する場合には、分岐器８の分岐側を直接に分岐端子１４に接続し、直列ユニット２ｂのように使用する場合には、ハイパスフィルタ１０を介して分岐側を分岐端子１４に接続するものがあった。なお、図１０において、１５は４分配器、１６は１分岐器、図１１において、１８は直列ユニットの入力端子、２０は同出力端子を示している。
【０００４】
このような直列ユニット７は、図１２に示すように、切換スイッチ１２の操作を容易にするために、直列ユニット７の正面に切換スイッチ１２が設けられている。この直列ユニット７は、埋め込み枠２２に取り付けられる。この埋め込み枠１２は壁等に形成した矩形の孔に固定される。埋め込み枠１２の周囲に化粧枠２４が取り付けられ、この化粧枠２４に化粧板２６が取り付けられ、美観を整えている。
【０００５】
【発明が解決しようとする課題】
しかし、このように切換スイッチ１２が正面に取り付けられているので、使用者が化粧板２６を取り外した場合、任意に切換スイッチ１２を操作することができる。例えば、直列ユニット２ｂのようにテレビジョン受像機に接続されているものであるのに、切換スイッチ１２を操作して、分岐器８の分岐側を分岐端子１２に直接に接続すると、流合雑音が増加する。また、直列ユニット２ａのようにケーブルモデム４に接続されているにも拘わらず、切換スイッチ１２の操作によって、ハイパスフィルタ１０を介して分岐器８の分岐側を分岐端子１２に接続すると、上り信号の伝送が不可能となる。
【０００６】
このような一般使用者が操作することを防止しようとすると、一般使用者が化粧板を外しても目に付きにくい位置に切換スイッチ１２を設ける必要がある。しかし、このようにすると、設置業者が、切換スイッチ１２の切換作業を効率よく行うことができなくなる。
【０００７】
また、上記のような直列ユニットでは、双方向用として使用している状態において、上り信号の比較的低い周波数帯域では外部雑音が多いので、図１０の直列ユニット２ａに分岐端子側から、この比較的低い周波数帯域の外部雑音が入力され、結果として、流合雑音が増加することがある。
【０００８】
本発明は、設置業者が容易に切換スイッチの切換操作を行うことができ、かつ一般使用者が勝手に切換スイッチの切換操作を行いにくい直列ユニットを提供することを目的とする。
【０００９】
本発明の一態様による直列ユニットは、概略直方体状の本体を有している。この本体の内部に、双方向分岐器と第１のフィルタとが設けられている。このフィルタは、上り信号をカットすることが可能な通過帯域を有するものが望ましい。本体の外部には、前記双方向分岐器の入力側及び出力側に接続された入力端子と出力端子とが設けられている。さらに、本体の正面に、分岐端子と、この分岐端子を前記双方向分岐器の分岐側に直接に接続するかまたは前記フィルタを介して接続するかを切り換える切換スイッチが設けられている。この本体の正面に着脱可能にカバーが設けられている。このカバーは装着時に前記切換スイッチを被う。カバーは、分岐端子へのコネクタの接続が可能なように構成されている。
【００１０】
この直列ユニットによれば、切換スイッチは、カバーによって被われているので、一般使用者の目にはつきにくい。従って、一般使用者が興味本位で切換スイッチを操作することを防止できる。
【００１１】
この直列ユニットでは、前記本体の長方形状の正面の周縁に沿って矩形の枠状体が設けられ、この枠状体から前記本体の両側にかつ前記本体よりも外方に突部が突出し、これら突部から前記本体に向かって伸びた把持部が前記本体を挟んで前記枠状体を前記本体に取り付け、着脱自在な化粧板によって被われた埋め込み枠への取付部が前記突部の先端部に設けられている。
【００１２】
前記カバーは、この枠状体の上面に設置され、この枠状体とほぼ同一の平面形状を有し、前記分岐端子のみが挿通された円孔を有している。前記枠状体に係合部が形成され、前記カバーが前記枠状体上に載置された状態において、前記係合部に着脱可能に係止する係止部が前記カバーに形成されている。
【００１３】
このように構成すると、埋め込み枠に取り付けるための枠状体を利用して、カバーを取り付けることができるので、カバーを取り付けるために特別な部品を設ける必要が無く、部品点数を減少させることができる。
【００１４】
さらに、この直列ユニットにおいて、前記係合部を、前記分岐端子を間に挟んで対向するようにほぼ一直線上に１対が配置され、かつ前記直線方向に貫通した係合孔とすることができる。この場合、前記係止部は、前記両係合孔よりもそれぞれ内側にある前記カバーにおける側壁に舌片状に形成され、前記係合孔に侵入可能な突部を有している。例えば、突部は係合孔側を向いて設けることができる。また、舌片状の係止部は、弾性を有することが望ましい。
【００１５】
このように構成すると、２つの舌片状の係止部を片手で操作するだけで、着脱することができる。
【００１６】
また、この態様の直列ユニットにおいて、前記切換スイッチは、前記本体の正面よりも奥に設けることができる。この場合、カバーを取り付ける際に、カバーによって誤って切換スイッチが操作されることを防止できる。
【００１７】
第２のフィルタも設けることができる。このフィルタは、上り信号の低域側を遮断する周波数特性を有している。第１のフィルタは、第２のフィルタとの合成周波数特性が前記上り信号の帯域全域を遮断する周波数特性である。前記切換スイッチは、前記分岐側を前記分岐端子に接続する際に前記分岐側と前記分岐端子との間に前記第２のフィルタを介在させ、前記分岐側を第１のフィルタを介して前記分岐端子に接続する際に、第１及び第２のフィルタが縦続接続された状態とする。
【００１８】
このように構成された直列ユニットでは、前記切換スイッチが、前記分岐側を前記分岐端子に接続する際に前記分岐側と前記分岐端子との間に前記第２のフィルタを介在させたとき、分岐端子から入来した上り信号の帯域のうち高域側信号は、第２のフィルタを介して分岐側に伝送される。しかし、分岐端子から入来した上り信号の帯域のうち低域側の外部雑音は、第２のフィルタによって遮断されるので、分岐側には伝送されず、流合雑音の増加を防止できる。即ち、上り信号として、これに割り当てられている周波数帯域のうち高域側を使用していると、流合雑音の増加を防止できる。また、前記分岐側を第１のフィルタを介して前記分岐端子に接続する際に、第１及び第２のフィルタが縦続接続された状態とすると、上り信号の全帯域の信号は、第１及び第２のフィルタによって遮断されるので、分岐側には伝送されず、流合雑音が増加することはない。一方、分岐器からの下り信号は、第１及び第２のフィルタを介して分岐端子に供給される。
【００２０】
【発明の実施の形態】
本発明の第１の実施の形態の直列ユニット２９は、図１（ａ）及び（ｂ）に示すように、本体３０を有している。この本体３０は、概略直方体状に構成されており、その内部には、図１１に示した従来のものと同様に、双方向の分岐器と、上り信号を遮断することが可能な通過帯域を有するハイパスフィルタとが、収容されている。本体３０の外周面のうち、互いに対向する長方形状の側壁面それぞれに、入力端子３２と出力端子３４とが設けられている。これらは、無論、本体３０内の双方向分岐器の入力側と出力側とにそれぞれ接続されている。
【００２１】
本体３０の長方形状の正面の中央には、分岐端子３６が設けられている。図１（ｂ）及び図２（ｂ）に示すように、本体３０の正面における分岐端子３６の横に、スライド式の切換スイッチ３８が、外部から操作可能に設けられている。この切換スイッチ３８は、本体３０の正面よりも内側に配置されている。即ち、本体３０の正面の表面より外側に、切換スイッチ３８は突出していない。この切換スイッチ３８は、本体３０の長さ方向に沿ってスライド可能に配置されている。
【００２２】
この切換スイッチ３８をスライド操作することによって、分岐器の分岐側を直接に分岐端子３６に接続した状態と、双方向分岐器の分岐側をハイパスフィルタを介して分岐端子３６に接続した状態とのうち、選択された一方に切り換えることができる。
【００２３】
この本体３０の正面には、図１（ｂ）及び図２（ｂ）に示すように、例えば合成樹脂製の矩形の枠状体４０が配置されている。この枠状体４０は、本体３０の正面の短縁にほぼ等しい長さの１対の短縁４２を有している。これら短縁４２は、ほぼ平行に配置されている。これら短縁４２とほぼ直交し、かつ互いに平行に１対の長縁４４が形成されている。これら長縁４４は、本体３０の正面の長縁よりも幾分短い寸法である。この枠状体４０は、本体３０の正面に面接触する底面４６を有している。この底面４６のほぼ中央には、円孔４８が形成されている。この円孔４８は、分岐端子３６が突出可能で、かつ切換スイッチ３８を外部から操作可能な大きさに形成されている。
【００２４】
枠状体４０の短縁４２、４２の中央部から水平に、突部５０、５０が本体３０の端壁よりも幾分外方まで突出している。図３（ａ）及び（ｂ）に示すように、これら突部５０、５０の先端部から本体３０側に向かって伸延するように、把持部５２、５２が形成されている。これら把持部５２、５２の先端部５２ａ、５２ａ同士が、本体３０の長さ寸法よりも若干短い寸法を隔てて水平に本体３０を間に挟んで、配置されている。これら把持部５２、５２の先端部５２ａ、５２ａに本体３０の端壁が接触することによって、枠状体４０が、本体３０に取り付けられている。
【００２５】
図２（ａ）及び（ｂ）に示すように、突部５０、５０の先端部からさらに外方に向かって水平に突片５４が突出させられている。これら突片５４は、突部５０、５０の両端に位置するように、間隔を隔てて配置されている。これら突片５４を利用して、枠状体４０が、図５に示すように、埋め込み枠５５に取り付けられている。即ち、枠状体４０は、本来、本体３０を埋め込み枠５５に取り付けるために設けられている。なお、埋め込み枠５５の構成は、本発明の直列ユニットとは直接に関係しないので、詳細な説明は省略する。
【００２６】
枠状体４０の短縁４２、４２の中央付近には、それぞれ係合部、例えば係合孔５６、５６が形成されている。これら係合孔５６、５６は、図２（ｂ）から明らかなように、分岐端子３６を間に挟んで、ほぼ同一直線上に位置するように配置されている。これら係合孔５６、５６は、図１（ａ）、（ｂ）から明らかなように、ほぼ逆Ｕ字状に形成され、上記の直線に沿う方向に貫通している。
【００２７】
図１（ａ）及び図２（ａ）に示すように、枠状体４０の上面には、カバー５８が配置されている。このカバー５８は、合成樹脂製で、枠状体４０とほぼ同一の平面形状を有している。図４（ｂ）に示すように、本体３０の正面と面接触するカバー５８の円形の底部６０の中央には、分岐端子３６のみが挿通可能な円孔６２が形成されている。従って、切換スイッチ３８は、底部６０によって被われて、外部からは見えない。また、切換スイッチ３８は本体３０の正面よりも内側に位置しているので、底部６０に切換スイッチ３８が接触することはない。
【００２８】
この底部６０の周縁から上方に向かって筒状部６４が底部６０に対してほぼ垂直に立ち上がり、その先端開口縁部が矩形の上壁６６に結合されている。上壁６６の周縁には、互いに対向する端壁６８、６８と、互いに対向する側壁７０、７０とが形成されている。カバー５８の端壁６８、６８が、図１（ａ）に示すように、係合孔５６、５６の内側に位置し、且つ、それぞれ係合孔５６、５６と端壁６８、６８の中央が接するようにカバー５８は、配置されている。
【００２９】
この端壁６８、６８のほぼ中央、即ち係合孔５６、５６と接する部分には、係止部７２、７２が一体に形成されている。係止部７２、７２は、図４（ｂ）に示すように、端壁６８、６８よりも若干薄肉に形成された舌片状のものである。係止部７２、７２は、合成樹脂製であり、端壁６８、６８よりも薄肉に形成されているので、若干の力を加えることによって撓む。これら係止部７２の先端部には、外方を向いて、即ち係合孔５６、５６側を向いて、突部７２ａ、７２ａが形成されている。これら突部７２ａ、７２ａは、係合孔５６、５６に侵入し、且つ係合可能な大きさに形成されている。
【００３０】
カバー５８は、係止部７２、７２の突部７２ａ、７２ａを係合孔５６、５６に係合させることによって、枠状体４０に取り付けられている。この状態では、切換スイッチ３８は、カバー５８によって被われているので、本体３０の正面側を外部から見た場合、図２（ａ）に示すように、切換スイッチ３８は見えない。また、係止部７２、７２を片手で本体３０側に若干押し込むことによって、突部７２ａ、７２ａを係合孔５６、５６から解放することができ、カバー５８を枠状体４０から外すことができる。この状態では、図２（ｂ）に示すように、本体３０の正面側を外部から見た場合、切換スイッチ３８を見ることができる。
【００３１】
この直列ユニット２９は、図５に示すように、枠状体４０の突部５０、５０の突片５４、５４を埋め込み枠５５に係合させることによって、埋め込み枠５５に固定される。この埋め込み枠５５は、壁等に形成した孔（図示せず）にネジ７４を介して、本体３０の正面が壁側を見たときに見えるように、固定されている。この埋め込み枠５５の周囲を包囲するように、化粧枠７６が、ネジ７８によって壁に固定されている。この化粧枠７６に着脱自在に、化粧板８０が取り付けられている。化粧板８０の中央には、分岐端子３６への接続用の窓８２が形成されている。
【００３２】
図５に示すように、化粧板８０を化粧枠７６から外した状態では、図２（ａ）に示すように、直列ユニット２９が見える。このとき、本体３０の正面にある切換スイッチ３８は、カバー５８によって被われているので、外部から見ることができず、分岐端子３６のみが見える。従って、一般使用者が、化粧板８０を取り外しても、切換スイッチ３８が見えず、しかもカバー５８は、分岐端子３６以外の本体３０の正面を全て被っているので、切換スイッチ３８が備えられているとは一般使用者には判らず、一般使用者が任意に切換スイッチ３８を操作することを防止できる。
【００３３】
一方、この直列ユニット２９の設置業者は、カバー５８を外せば、切換スイッチ３８が図２（ｂ）に示すように見えることを知っている。従って、切換スイッチ３８を切り換える必要のあるとき、カバー５８を外す。カバー５８を外した状態では、切換スイッチ３８は、本体３０の正面に見えている。しかも、本体３０の正面に切換スイッチ３８があるので、設置業者は、容易に切換スイッチ３８を操作することができる。
【００３４】
もし、切換スイッチ３８を一般使用者の目につきにくい場所、例えば本体３０の端壁に配置している場合には、逆に設置業者が切換操作しようとした場合に、非常に操作しにくく、作業効率が低下する。この直列ユニット２９のように切換スイッチ３８を本体３０の正面に設けながら、カバー５８によって被っていると、カバー５８を外すことによって、設置業者は容易に切換操作を容易に行うことができるし、一般使用者は、切換スイッチ３８が直接には見えないので、操作することがない。
【００３５】
しかも、直列ユニット２９を埋め込み枠５５に取り付けるために設けられている枠状体４０に係合孔５６、５６を設け、カバー５８に設けた係止部７２を係合孔５６、５６に係合させることによって、カバー５８を着脱自在としているので、カバー５８の取り付け用に新たに直列ユニット２９に設けなければならない部品は殆どない。また、係合孔５６、５６、係止部７２、７２は、それぞれ分岐端子３６の両側に１対ずつ設けられているので、カバー５８の係合が確実に行われ、不用意にカバー５８が外れることがないし、更に、片手だけでカバー５８を取り付けたり、外したりすることが容易に行える。
【００３６】
また、切換スイッチ３８は、本体３０の正面よりも内側に取り付けられているので、カバー５８を取り付けたり、外したりするときに、カバー５８が切換スイッチ３８に接触することがなく、不用意に切換スイッチ３８が操作されることを防止できる。
【００３７】
本発明の第２の実施の形態は、直列ユニットの回路構成が相違する以外、第１の実施の形態と同様に構成されている。同等部分には、同一符号を付して、その説明を省略する。
【００３８】
入力端子３２は、コンデンサ１００を介して双方向分岐器１０２の入力側に接続されている。出力端子３４は、コンデンサ１０４を介して双方向分岐器１０２の出力側に接続されている。コンデンサ１０６、１０８、１１０、１１２はバイパスコンデンサである。双方向分岐器１０２の構成は公知であるので詳細な説明は省略する。
【００３９】
分岐器１０２の分岐側には、第１のフィルタ、例えばハイパスフィルタ１１４の一端が接続されている。このハイパスフィルタ１１４は、コンデンサ１１４ａ、１１４ｂ、１１４ｃ及びインダクタ１１４ｄを備えるＴ字型のもので、図７に示すような周波数特性を有している。即ち、１０ＭＨｚ乃至７０ＭＨｚの上り信号帯域のうち比較的雑音が多い約２０ＭＨｚにトラップ周波数があり、約３０ＭＨｚ以上の信号のみを通過させるものである。従って、上り信号のうち低域側のものが遮断される。
【００４０】
このハイパスフィルタ１１４の他端は、切換スイッチ１１６の接点１１６ｂに接続されている。この切換スイッチ１１６は、接点１１６ｂの他に、接点１１６ａ、１１６ｃ乃至１１６ｆを有し、さらに接触子１１６ｇ、１１６ｈも有している。この切換スイッチ１１６は、接触子１１６ｇによって接点１１６ａ、１１６ｂが接続され、かつ接触子１１６ｈによって接点１１６ｄ、１１６ｅが接続された第１の状態と、接触子１１６ｇによって接点１１６ｂ、１１６ｃが接続され、かつ接触子１１６ｈによって接点１１６ｅ、１１６ｆが接続された第２の状態とのうち、任意の一方に切り換えられる。
【００４１】
接点１１６ａと接点１１６ｄとが接続され、かつ接点１１６ｅが分岐端子３６に接続されている。従って、第１の状態では、上り信号の高域側の信号は分岐端子３６から分岐器１０２側に伝送されるが、上り信号の低域側の雑音等の信号は、分岐端子３６から分岐器１０２側に伝送されることはない。従って、流合雑音を増加させることはない。無論、上り信号よりも周波数が高い下り信号は、分岐器１０２からハイパスフィルタ１１４を介して分岐端子３６に供給される。
【００４２】
切換スイッチ１１６の接点１１６ｃ、１１６ｆの間には、第２のフィルタ、例えばハイパスフィルタ１１８が接続されている。ハイパスフィルタ１１８は、コンデンサ１１８ａ乃至１１８ｆ、インダクタ１１８ｇ、１１８ｈを有するＴ字型のもので、図８に示すような周波数特性を有している。即ち、トラップ周波数が、上り信号帯域の高域側の約４０ＭＨｚと約５０ＭＨｚとにあり、上り信号の上限周波数（下り信号の下限周波数）である７０ＭＨｚ以上の信号は通過させることができる周波数特性を有している。
【００４３】
切換スイッチ１１４が第２の状態に切り換えられたとき、分岐器１０２の分岐側は、縦続接続されたハイパスフィルタ１１４、１１８を介して分岐端子３６に接続される。縦続接続されたハイパスフィルタ１１４、１１８の総合周波数特性は、図９に示すようになる。即ち、上り信号の周波数帯域である１０ＭＨｚから７０ＭＨｚの全域にわたって、上り信号の帯域と比較して大きく減衰された、即ち、上り信号全域にわたって大きく信号を減衰させる周波数特性をもつものである。従って、第２の状態では、分岐器１０２の分岐側からの下り信号は、ハイパスフィルタ１１４、１１８を介して分岐端子３６に供給されるが、分岐端子３６側から分岐器１０２側には、上り信号帯域全域内の雑音は供給されない。従って、流合雑音が大きくなることはない。なお、１２０、１２２はバイパスコンデンサである。
【００４４】
第２の実施の形態の直列ユニットでは、上述したように下り信号専用として使用している場合には、上り信号全域の雑音を遮断し、双方向用として使用している場合には、上り信号の帯域のうち未使用の帯域の雑音を遮断するように構成しているので、流合雑音が増加することを防止できる。さらに、この直列ユニットの機械的構成は、第１の実施の形態と同様に構成されているので、一般使用者が切換スイッチ１１６を勝手に操作することを防止できる上に、設置業者は切換スイッチ１１６の切換を容易に行うことができる。
【００４５】
上記の第１の実施の形態では、枠状体４０にカバー５８を着脱自在に設けたが、本体３０自体にカバー５８を着脱自在に設けてもよい。この場合でも、少なくとも切換スイッチ３８を被うようにカバー５８を設ける必要がある。枠状体４０には底部４６を設けたが、場合によってはこれらは除去することができる。また、係合部として貫通している係合孔５６を設けたが、これに代えて、例えば分岐端子３６側のみに開口している凹所を設けてもよい。カバー５８は、本体３０の正面全体を被うものを示したが、少なくとも切換スイッチ３８を被うことができる大きさのものであればよい。第２の実施の形態では、切換スイッチ１１６として、６つの接点１１６ａ乃至１１６ｆと２つの接触子１１６ｇ、１１１６ｈを有するものを使用したが、例えばハイパスフィルタ１１４の接点１１６側に接続されている端部と、接点１１６ｃ側に接続されている端部とを直結するなら、これら直結部に接続された接点と、接点１１６ｆに相当する接点と、これら両接点の一方に切換接続可能とされ、分岐端子３６に接続されている接触子とを有する切換スイッチを使用することもできる。また、第１及び第２のフィルタ１１４、１１６の構成は、図示したものに限らず、上述したような周波数特性を有するものであれば、種々のものを使用することもできる。
【００４６】
【発明の効果】
以上のように、本発明によれば、設置業者が切換スイッチを容易に切り換えることができる上に、一般使用者が勝手に切換スイッチを操作することを防止することができる。さらに、２つのフィルタを備えた構成とすることによって、流合雑音の増加を防止することができる。
【図面の簡単な説明】
【図１】（ａ）は本発明の第１の実施の形態の直列ユニットの斜視図、（ｂ）は本発明の１実施の形態の直列ユニットのカバーを外した状態の斜視図である。
【図２】（ａ）は図１の直列ユニットの正面図、（ｂ）は図１の直列ユニットのカバーを外した状態の正面図である。
【図３】（ａ）は図１の直列ユニットの側面図、（ｂ）は図１の直列ユニットが使用している枠状体の拡大縦断面図である。
【図４】（ａ）は図１の直列ユニットのカバーの斜視図、（ｂ）は（ａ）のカバーの縦断面図である。
【図５】図１の直列ユニットの使用状態を示す斜視図である。
【図６】本発明の第２の実施の形態の直列ユニットの回路図である。
【図７】図６の直列ユニットに使用されているハイパスフィルタ１１４の周波数特性図である。
【図８】図６の直列ユニットに使用されているハイパスフィルタ１１６の周波数特性図である。
【図９】図６の直列ユニットのハイパスフィルタ１１４、１１６の総合周波数特性図である。
【図１０】直列ユニットを使用した共同受信設備の一部を示すブロック図である。
【図１１】従来の直列ユニットのブロック図である。
【図１２】従来の直列ユニットの使用状態を示す斜視図である。
【符号の説明】
２９  直列ユニット
３０  本体
３２  入力端子
３４  出力端子
３６  分岐端子
３８  切換スイッチ
４０  枠状体
５５  埋め込み枠
５６  係合孔（係合部）
５８  カバー
７２  係止部
８０  化粧板
１０２  分岐器
１１４  ハイパスフィルタ（第１のフィルタ）
１１６  切換スイッチ
１１８  ハイパスフィルタ（第２のフィルタ）
【図１】
0003688521.tif 000002
【図２】
0003688521.tif 000003
【図３】
0003688521.tif 000004
【図４】
0003688521.tif 000005
【図５】
0003688521.tif 000006
【図６】
0003688521.tif 000007
【図７】
0003688521.tif 000008
【図８】
0003688521.tif 000009
【図９】
0003688521.tif 000010
【図１０】
0003688521.tif 000011
【図１１】
0003688521.tif 000012
【図１２】
0003688521.tif 000013